(57)【要約】【課題】回転清掃体の回転に伴う振動・騒音を低減できるとともに、回転清掃体を回転させる清掃体モータの選択の自由度が高い電気掃除機用吸込み口体を提供する。【解決手段】吸込み口体１１は、接続管１６と、吸込みヘッド本体１３と、清掃ユニット１４と、弾性変形が可能なコイルばね（ユニット支持部材）１５と具備する。接続管１６を吸込みヘッド本体１３に取付ける。清掃ユニット１４は、ユニットベース３１、回転軸の周部に清掃部材を取付けてなるとともにユニットベース３１に回転自在に軸支された回転清掃体３５、及びユニットベース３１に支持されて回転清掃体３５を回転させる清掃体モータ３７を有する。コイルばね１５により清掃ユニット１４を吸込みヘッド本体１３に非接触でかつ浮動可能な状態に支持したことを特徴としている。【選択図】図６
2010253206.tif 000002
【特許請求の範囲】
【請求項１】
接続管と、
この接続管が取付けられた吸込みヘッド本体と、
ユニットベース、回転軸の周部に清掃部材を取付けてなるとともに前記ユニットベースに回転自在に軸支された回転清掃体、及び前記ユニットベースに支持されて前記回転清掃体を回転させる清掃体モータを有した清掃ユニットと、
弾性変形が可能な材料からなるともに前記清掃ユニットを前記吸込みヘッド本体に非接触でかつ浮動可能な状態に支持するユニット支持部材と、
を具備したことを特徴とする電気掃除機用吸込み口体。
【請求項２】
前記ユニットベースの剛性が前記吸込みヘッド本体の剛性より高いことを特徴とする請求項１に記載の電気掃除機用吸込み口体。
【請求項３】
前記吸込みヘッド本体がこの本体の下面に開放されるとともに前記清掃ユニットが収容されたユニット収容室を有し、この収容室を区画して前記清掃ユニットの前側に位置する前壁部、前記清掃ユニットの後側に位置する後壁部、及び前記清掃ユニットの上方に位置する上壁部と、前記清掃ユニットのユニットベースとの間に、前記ユニット支持部材を夫々配設したことを特徴とする請求項１又は２に記載の電気掃除機用吸込み口体。
【請求項４】
前記ユニット支持部材がコイルばねであるとともに、このユニット支持部材を前記接続管に吸込まれる気流から隔離する隔離手段を備えたことを特徴とする請求項１から３の内のいずれか一項に記載の電気掃除機用吸込み口体。
【請求項５】
前記ユニットベースがこのベースの下面に開放されるとともに前記回転清掃体が収容された清掃体収容室を有し、前記隔離手段が、前記接続管と前記清掃体収容室とを連通する可撓性の筒状部を有して前記ユニットベースと前記接続管とにわたって取付けられた風路部材であることを特徴とする請求項４に記載の電気掃除機用吸込み口体。
【請求項６】
前記隔離手段が、前記ユニット支持部材を包囲する筒であることを特徴とする請求項４に記載の電気掃除機用吸込み口体。
【請求項７】
前記吸込みヘッド本体がこの本体の下面に開放されるとともに前記清掃ユニットが収容されたユニット収容室を有し、前記隔離手段が、前記ユニット収容室を、前記接続管が連通した第１の室部と、前記接続管及び前記第１の室部とは非連通でかつ前記ユニット支持部材が配設された第２の部屋とに仕切る可撓性の仕切り部材であることを特徴とする請求項４に記載の電気掃除機用吸込み口体。
【請求項８】
前記回転清掃体を前記ユニットベースに支持した軸支部と、前記清掃部材の前記軸支部側の端との間を仕切る仕切りが前記ユニットベースに設けられ、この仕切りに前記回転清掃体の回転軸が貫通されていることを特徴とする請求項１から７の内のいずれか一項に記載の電気掃除機用吸込み口体。
【請求項９】
吸塵口を有した掃除機本体と、
前記吸塵口に接続された吸塵ホース、この吸塵ホースの先端部に接続された延長管、及びこの延長管の先端部に接続された請求項１から８の内のいずれか一項に記載の吸込み口体を有した吸塵風路体と、
を具備したことを特徴とする電気掃除機。
【発明の詳細な説明】
【技術分野】
【０００１】
本発明は、清掃体モータの駆動により回転される回転清掃体を有する電気掃除機用吸込み口体、及びこの吸込み口体を備えた電気掃除機に関する。
【背景技術】
【０００２】
電動機により駆動される回転ブラシ(回転清掃体)の回転に伴う振動及び騒音を低減できる電気掃除機の床用吸込具(吸込み口体)が従来技術として知られている。
【０００３】
この床用吸込具では、吸込具本体に形成されたブラシ収納室の両側の軸支部と、ブラシ収納室に形成された吸込口に臨んで配置される回転ブラシの両端部との間に、波形に形成されたスプリングを介在させて回転ブラシの両端部が軸支されている。スプリングは軸支部と回転ブラシの端部とに圧接されている。そして、吸込具本体の後部に形成された電動機収納室に電動機が配設され、この電動機の回転軸の回転を回転ブラシに伝達するベルトが、軸支部に支持された回転軸の一端と電動機の回転軸とにわたって張架されている。
【０００４】
この床用吸込具によれば、電動機の駆動により回転ブラシが回転されることによる回転ブラシの振動を、軸支部と回転ブラシとの間に弾性的に介在されたスプリング吸収して、回転部ブラシの振動が吸込具本体及び延長管に伝わることを防止できる。
【先行技術文献】
【特許文献】
【０００５】
【特許文献１】特開平４−３２２６２７号公報（段落0020,0022−0024,0026,0027,0041、図１−図４、図１０）
【発明の概要】
【発明が解決しようとする課題】
【０００６】
従来技術では、吸込具本体の軸支部に支持された回転ブラシがその振動減衰用のスプリングの撓みに従ってある程度自由に振動できるのに対して、電動機は吸込具本体に固定されている。このように電動機に対する回転ブラシの位置関係が一定に保持されることがない構成では、電動機から回転ブラシへ回転を伝える伝動部での伝動ロスを発生し易いとともに、この伝動部からの騒音も発生し易い。
【０００７】
こうした不具合を抑制するには、振動減衰用のスプリングの撓み量をより小さくせざるを得ない。しかし、元々撓み量をさほど大きくできない波形状のスプリングで、その撓み量を小さくすることは、回転ブラシの回転に伴う振動減衰作用の低下をもたらす。それに伴い、振動・騒音が大きくなることは避けられない。
【０００８】
更に、回転ブラシを回転させる電動機が吸込具本体に固定されているので、掃除中に吸込具本体が家具等に当たるたびに、それに伴う衝撃が電動機に直接波及され易い。このため、耐振性能が高い電動機を使用する必要がある。
【０００９】
以上のように従来技術によれば、回転ブラシの回転に伴う振動・騒音を低減する上で改善の余地があるとともに、回転ブラシを回転させる電動機の選択の自由度が低いという課題がある。
【課題を解決するための手段】
【００１０】
前記課題を解決するために、本発明の吸込み口体は、回転軸の周部に清掃部材を取付けてなるとともにユニットベースに回転自在に軸支された回転清掃体、及びユニットベースに支持されて回転清掃体を回転させる清掃体モータを有した清掃ユニットを、接続管が取付けられた吸込みヘッド本体に、弾性変形が可能な材料からなるユニット支持部材により吸込みヘッド本体に非接触でかつ浮動可能な状態に支持したことを特徴としている。
【００１１】
本発明で、清掃体モータとは通電により駆動されるモータを指しており、このモータの駆動力は、回転清掃体に直接与える構成であっても伝動機構を介して与えるようにしてもよい。伝動機構を用いる場合、後述の実施形態で説明する構成に代えて、歯車伝動による伝動機構を採用することも可能である。本発明で、ユニット支持部材には、コイルばねを好適に使用できるが、これに代えてゴム等の弾性材料からなる部材を用いることも可能である。
【発明の効果】
【００１２】
本発明によれば、回転清掃体の回転に伴う振動・騒音を低減できるとともに、回転清掃体を回転させる清掃体モータの選択の自由度が高い、という効果がある。
【図面の簡単な説明】
【００１３】
【図１】本発明の第１の実施の形態に係る電気掃除機を示す斜視図である。
【図２】図１の電気掃除機が備えた吸込み口体を表側から示す斜視図である。
【図３】図２の吸込み口体を裏返した状態で示す斜視図である。
【図４】図２中矢印Ｆ４−Ｆ４線に沿って示す吸込み口体の概略断面図である。
【図５】図４中矢印Ｆ５−Ｆ５線に沿って示す吸込み口体の概略断面図である。
【図６】図２の吸込み口体を分解して斜め後下側から見上げた状態で示す斜視図である。
【図７】図２の吸込み口体を分解して斜め後上側から見て示す斜視図である。
【図８】図２の吸込み口体を分解して斜め前上側から見て示す斜視図である。
【図９】本発明の第２の実施の形態に係る吸込み口体を斜め前下側から見上げた状態で示す斜視図である。
【図１０】図９の吸込み口体を分解して示す斜視図である。
【図１１】図９の吸込み口体を示す図４相当の概略断面図である。
【図１２】図１１中矢印Ｆ１２−Ｆ１２線に沿って示す吸込み口体の概略断面図である。
【図１３】本発明の第３の実施の形態に係る吸込み口体を示す図４相当の概略断面図である。
【図１４】図１３中矢印Ｆ１４−Ｆ１４線に沿って示す吸込み口体の概略断面図である。
【図１５】本発明の第４の実施の形態に係る吸込み口体を斜め前下側から見上げた状態で示す斜視図である。
【図１６】図１５の吸込み口体を示す図４相当の概略断面図である。
【図１７】本発明の第５の実施の形態に係る吸込み口体を示す図１２相当の概略断面図である。
【発明を実施するための形態】
【００１４】
以下、図１〜図８を参照して本発明の第１の実施の形態について、詳細に説明する。
【００１５】
図１中符号１は第１実施形態に係る吸込み口体１１を備えた例えばキャニスタ型の電気掃除機を示している。この電気掃除機１は、掃除機本体２と、吸塵風路体５とを具備している。
【００１６】
車輪３が取付けられた掃除機本体２の後部に図示しない電動送風機が内蔵されている。掃除機本体２の前部は電動送風機の上流側となっており、この前部には図示しない塵分離手段及びこの手段で分離された塵を溜める集塵部等が設けられている。塵分離手段には、そこに吸引された塵の慣性エネルギーを利用して塵と空気を分離するサイクロン式等の慣性分離式の塵分離装置を好適に用いることができるが、紙パックを用いてもよく、或いは粗塵を慣性分離により空気から分離する塵分離装置と、粗塵以外の塵をろ過して空気から分離するフィルターとを併用した塵分離手段とすることも可能である。
【００１７】
吸塵風路体５は、可撓性の吸塵ホース６と、延長管７と、吸込み口体１１とを備えている。吸塵ホース６の一端部(根元部)６ａは、例えば掃除機本体２の前部上面を開閉する蓋２ａに設けた吸塵口２ｂに取外し可能に差込み接続されていて、この接続により吸塵ホース６内と前記塵分離手段とが連通される。延長管７が着脱可能に嵌合して連結される吸塵ホース６の他端部（先端部）６ｂに、延長管７を介して吸込み口体１１を移動操作するためのハンドル８が設けられている。このハンドル８に前記電動送風機及び後述の清掃体モータ３７の運転等を指令する手元スイッチ９が取付けられている。
【００１８】
延長管７は外管７ａと内管７ｂとを例えば伸縮可能に組み合わせて形成されている。外管７ａは吸塵ホース６の他端部６ｂに着脱可能に嵌合されている。この外管７ａの他端（先端）から突出された内管７ｂの先端部７ｃに、吸込み口体１１の接続管１６が着脱可能に嵌合されている。
【００１９】
次に、吸込み口体１１について説明する。吸込み口体１１は、掃除対象である部屋の絨毯面、畳面、フローリング床面等の被掃除床面（被掃除面）を掃除するのに好適なものであり、通常床ブラシとも称されている。図２及び図３に示すように吸込み口体１１は、後述する吸込みヘッド１２の後側中央部に接続管１６を取付けるとともに、隔離手段例えば風路部材２０を備えて形成されている。この吸込み口体１１を表側及び裏側から見た形状は略Ｔ字状である。
【００２０】
図４、図６及び図７に示すように接続管１６は、互いに連通される前側管部１７と後側管部１８とを回動可能に連結して形成されている。前側管部１７の前部は短い円筒形状をなしている。前側管部１７はその後部に溝を形成する一対の後方突出部１７ａを有している。一対の後方突出部１７ａには、それら間の溝に配設された後側管部１８の前部が回動可能に連結されている。
【００２１】
なお、図６及び図７中符号１８ａは後側管部１８の後部をなす挿入管を示し、この挿入管１８ａが延長管７の先端部７ｃに挿脱可能に差込み接続される。更に、図６及び図７中符号１９は挿入管１８ａの根元部の周りに突設されたピン状の差込み端子を示し、これら差込み端子１９は、挿入管１８ａが延長管７に接続されると同時に、延長管７の先端部７ｃに設けられた図示しない端子金具に接触されて、清掃ユニット１４が有する後述の清掃体モータへの通電を可能とする。
【００２２】
風路部材２０は、接続管１６に吸込まれる気流から後述のコイルばね１５を隔離するために用いられている。この風路部材２０は、ゴム状弾性体例えばゴムの成形品であり、図４及び図８に示すように例えば前下がり状に突出された筒状部２０ａと、この筒状部２０ａの後端から周囲に張り出して接続管１６の前面部に固定された部材ベース２０ｂとを有している。筒状部２０ａは後述の清掃ユニット１４の振動を許容しこの振動に追従して動くことを可能とする可撓性を有しており、この筒状部２０ａの前後両端は開口されている。
【００２３】
吸込みヘッド１２は、吸込みヘッド本体１３と、清掃ユニット１４と、弾性変形が可能な材料からなるユニット支持部材例えば金属製のコイルばね１５を具備している。
【００２４】
図４〜図８に示すように吸込みヘッド本体１３は、左右の側壁部１３ａと、これら側壁部１３ａにわたる上壁部１３ｂ及び後壁部１３ｃとを有している。この吸込みヘッド本体１３の前面及び下面は夫々開放されている。被掃除床面に沿う吸込みヘッド１２の移動を円滑にするための車輪２１が、その一部を側壁部１３ａの下面から突出させて側壁部１３ａの夫々に回転自在に取付けられている。吸込みヘッド本体１３はその長手方向(左右方向)中央部に接続管取付け部２２を有している。この接続管取付け部２２は、図７に示すように後方から見た形状が略円形を呈していて、上壁部１３ｂ及び後壁部１３ｃにわたって形成されている。上壁部１３ｂはその長手方向両端部にばね固定部２３を夫々有している。これらばね固定部２３は例えば上壁部１３ｂから上方に突出して上端が閉じた筒部で形成されており、図５に示すように上壁部１３ｂの裏面に開放されている。
【００２５】
図４〜図８に示すように清掃ユニット１４は、ユニットベース３１、回転清掃体３５、清掃体モータ３７、及び底板３９を備えている。
【００２６】
ユニットベース３１は、下面が開放された器状をなしていて、その長手方向の一端部３１ａ及び他端部３１ｂは夫々後向きに突出されている。ユニットベース３１は吸込みヘッド本体１３内に余裕を持って格納される大きさに作られていて、その内部は清掃体収容室３１ｆとなっている。ここに、余裕を持って格納されるとは、吸込みヘッド本体１３内でユニットベース３１が振動した際にも、このユニットベース３１が吸込みヘッド本体１３の内面に当たることがないような空隙Ｇ(図５参照)を、吸込みヘッド本体１３とユニットベース３１との間に形成できる収納状態を指しており、そのような大きさにユニットベース３１が作られている。なお、図６〜図８中符号３１ｅはユニットベース３１の他端部３１ｂに設けた通気孔を示している。
【００２７】
ユニットベース３１の一端部３１ａ内面の前側部位及びこれに対して向かい合うように位置された他端部３１ｂの内面の前側部位の夫々には、図５及び図６に示すように軸支持部３２が一体に突設されている。ユニットベース３１の上面部３１ｃの長手方向両端部には夫々ばね固定部３３が形成されている。図４及び図６に示すようにユニットベース３１の一端部３１ａと他端部３１ｂ間の後面部３１ｄの中央部に通気部３４が設けられている。この通気部３４は通孔により形成されている。
【００２８】
図４及び図５に示すように回転清掃体３５は、回転軸３５ａと、清掃部材３５ｂと、軸受３６を有して形成されている。
【００２９】
清掃部材３５ｂは回転軸３５ａの周部に取付けられている。なお、図４及び図５では説明の都合上、清掃部材３５ｂを円筒形態で概念的に図示してあるが、実際上は、清掃部材３５ｂとして例えば可撓性の清掃ブレード又は束ねられた複数本のブラシ毛の列が、回転軸３５ａと平行又は斜めにねじれた状態に少なくとも二列以上取付けられている。しかし、束ねられた複数本のブラシ毛を、円筒形態をなすように回転軸３５ａの周部に取付けてなる回転清掃体３５を使用することも、又、清掃部材３５ｂとして拭き部材を回転軸３５ａの周部に巻き付けて取付けてなる回転清掃体３５を使用することも可能である。軸受３６は回転軸３５ａの両端部に夫々固定されている。この軸受３６には玉軸受等が使用されている。
【００３０】
清掃体収容室３１ｆに収容された回転清掃体３５は、その軸受３６を前記軸支持部３２内に嵌合させることによって、ユニットベース３１の前部に回転自在に軸支されている。回転清掃体３５の下端部は図４に示すように清掃体収容室３１ｆの開放された下面から突出されている。
【００３１】
図６〜図８に示すように清掃体モータ３７は、ユニットベース３１の一端部３１ａの後側部位外面に固定されている。清掃体モータ３７はその固定箇所からユニットベース３１の一端部３１ａから他端部３１ｂに向けて突出されるように設けられている。この清掃体モータ３７と回転清掃体３５は伝動機構３８により接続されている。伝動機構３８は、図５及び図６に示した被動歯車３８ａと、タイミングベルト３８ｂ、図示しない駆動歯車とで形成されている。駆動歯車は、ユニットベース３１の一端部３１ａ内に挿入された清掃体モータ３７の図示しない出力軸の一端部に固定されている。被動歯車３８ａは、ユニットベース３１の一端部３１ａ内に配置された回転軸３５ａの端部に固定されている。タイミングベルト３８ｂは張設された状態で駆動歯車と被動歯車３８ａとに巻掛けられている。
【００３２】
図６に示すように底板３９はコの字形状をなしている。底板３９は、その両端部３９ａでユニットベース３１の両端部下面を覆ってユニットベース３１の下面に固定されている。図４に示すように回転清掃体３５の下端部をユニットベース３１から下方に突出させるために、底板３９の両端部３９ａ間の部位は、回転清掃体３５の後方にずれて設けられている。なお、図３及び図４中符号４０は清掃ユニット１４の吸込み開口を示している。この吸込み開口４０は、ユニットベース３１の開放された下面の内、底板３９の両端部３９ａで覆われていない部分で形成されている。
【００３３】
底板３９及びユニットベース３１の剛性は、吸込みヘッド本体１３の剛性より高い。このことを実現するために、底板３９及びユニットベース３１は、例えばガラス繊維等の剛性向上材が配合された合成樹脂又は金属等で作られている。このように底板３９及びユニットベース３１の剛性を高めることは、底板３９及びユニットベース３１が清掃ユニット１４の振動に共振し、清掃ユニット１４の振動が増幅されることを、抑制する上で好ましい。
【００３４】
前記構成の清掃ユニット１４は少なくとも一個例えば複数具体的には一対のコイルばね１５を介して吸込みヘッド本体１３に、非接触でかつ浮動可能な状態に支持されている。すなわち、コイルばね１５は、その一端部を吸込みヘッド本体１３のばね固定部２３に固定するとともに、他端部をユニットベース３１のばね固定部３３に固定して設けられていて、それにより、図５に示すように清掃ユニット１４の両端部が吸込みヘッド本体１３に弾性的に吊持されている。これらコイルばね１５は、回転清掃体２５の軸方向に関してこの回転清掃体２５の軸支部に略対応してその上方に配設されている。以上のように吸込みヘッド本体１３内に支持されたユニットベース３１と吸込みヘッド本体１３内との間に、ユニットベース３１の浮動を許す前記空隙Ｇが形成されている。
【００３５】
清掃ユニット１４の清掃体収容室３１ｆと接続管１６とは風路部材２０の筒状部２０ａを介して連通されている。そのために、筒状部２０ａの先端部が、通気部３４を囲んでユニットベース３１の後面部３１ｄに接着剤を用いて固定されている。なお、筒状部２０ａの先端部は通気部３４の内面に接着止めすることもできる。
【００３６】
前記構成の電気掃除機１の電動送風機が運転されると、それに伴い吸込み口体１１の下面を通って吸込まれた含塵空気が、吸込み口体１１、延長管７、吸塵ホース６を、この記載順に通過して掃除機本体２内に導かれる。それにより、掃除機本体２内で空気と塵が分離されて、塵が集塵部内に溜められる一方で、電動送風機に吸込まれるとともにこの電動送風機から排出された空気が掃除機本体２の外部に放出される。
【００３７】
こうした掃除下での吸込み口体１１を通る含塵空気の流通経路は以下の通りである。含塵空気は、清掃ユニット１４の吸込み開口４０を通ってユニットベース３１の清掃体収容室３１ｆに吸込まれる。この場合、ユニットベース３１はその内部の負圧によって被清掃面に吸い付けられるが、回転清掃体３５の下端部が吸込み開口４０から突出しているので、吸込み開口４０への含塵空気の吸込みは継続される。そして、清掃体収容室３１ｆ内の含塵空気は、通気部３４から風路部材２０の筒状部２０ａを流通して接続管１６の前側管部１７に導かれ、この管部から更に後側管部１８を通って延長管７に導かれる。
【００３８】
掃除中に、使用者が手元スイッチ９で回転清掃体３５を回転させる操作をした場合、清掃体モータ３７への通電がなされるので、それにより駆動された清掃体モータ３７の回転が伝動機構３８により回転清掃体３５に与えられて、この回転清掃体３５が回転される。そのため、絨毯面などの被掃除面の塵を清掃部材３５ｂで掻き出して、この塵を、清掃体収容室３１ｆを通過する気流によって運び去ることができる。
【００３９】
回転清掃体３５が回転されている間、この回転清掃体３５の回転及び清掃体モータ３７の駆動を原因とする振動が発生し、それに伴い清掃ユニット１４全体が浮動的に振動する。
【００４０】
この場合、清掃ユニット１４の振動に応じて、筒状部２０ａが可撓変形をするので、清掃体収容室３１ｆと接続管１６との連通は維持される。
【００４１】
吸込み口体１１の回転清掃体３５及び清掃体モータ３７は、同じユニットベース３１に取付けられているので、回転清掃体３５と清掃体モータ３７との相互位置関係は、一定に保持されていて、清掃ユニット１４の浮動動作(振動)に応じて変化されることがない。そのため、清掃ユニット１４の振動が、清掃体モータ３７から回転清掃体３５へ回転を伝える伝動機構３８に負荷となって加わることがないとともに、伝動機構３８での伝動ロスを発生し難い。したがって、この伝動機構３８での騒音も発生し難い。
【００４２】
更に、清掃ユニット１４全体が振動する際には、清掃ユニット１４を両端支持しているコイルばね１５が、清掃ユニット１４の振動に応じて弾性変形をする。このため、清掃ユニット１４から吸込みヘッド本体１３への振動伝達が減衰されるとともに、清掃ユニット１４の振動が接続管１６を経由して延長管７に波及することを防止できる。
【００４３】
このように回転清掃体３５の回転及び清掃体モータ３７の駆動を原因とする吸込み口体１１の振動及びそれに伴う騒音の発生が抑制されるので、吸込み口体１１を低振動で使用できる。これとともに、回転清掃体３５の振動に依存する吸込み口体１１の騒音は、回転清掃体３５の振動が小さい程低くなるので、既述のように吸込み口体１１を低振動で使用できるに伴い、この吸込み口体１１を低騒音で使用できる。なお、清掃体モータ３７の回転周波数が略１００Ｈｚであり、これに対して吸込み口体１１での振動系の振動周波数は略２０Ｈｚ〜３０Ｈｚであるので、清掃体モータ３７が駆動されると、直ちに、清掃体モータ３７の回転周波数が振動系の振動周波数を超えてしまうことにより、共振を起こす恐れがない。しかも、既述のようにユニットベース３１の剛性が高いので、このユニットベース３１が回転清掃体３５の回転に共振して、振動を増幅することも抑制される。そのため、この点からも吸込み口体１１を低振動・低騒音で使用できる。
【００４４】
前記流通経路から明らかなように電動送風機の運転により生じた吸込み負圧は、接続管１６から風路部材２０を通って清掃体収容室３１ｆに波及されるが、ユニットベース３１の下方を除いた周囲、言い換えれば、前記空隙Ｇに作用することがない。このため、接続管１６に吸込まれる含塵空気が、前記負圧の波及経路から外れた位置に設けられているコイルばね１５を通ることがないので、コイルばね１５に塵が付着して、吸込みヘッド本体１３への振動伝達の減衰性能が低下する恐れがない。
【００４５】
更に、回転清掃体３５の清掃部材３５ｂが清掃ブレードである場合、その先端が被掃除面を叩くことに伴う叩音を生じる。しかし、回転清掃体３５は、前後両側、左右両側、及び上側をユニットベース３１で囲まれているとともに、このユニットベース３１の後側、左右両側、及び上側が吸込みヘッド本体１３で囲まれている。言い換えれば、吸込み口体１１から使用者に向けて叩音が通過する部分は二重壁となっている。これによる前記叩音の減衰作用で、この叩音を使用者が聞き取り難くできる。なお、回転清掃体３５の前側は、二重壁ではなく、ユニットベース３１の前面部３１ｇで覆われているだけであるが、この前壁部３１ｇを通過する音は、使用者から遠ざかる方向に伝播するので、問題とはなり難い。
【００４６】
又、以上のように清掃ユニット１４全体が浮動可能な状態に支持されているので、掃除中に吸込み口体１１が家具等に当たるに伴う衝撃を、コイルばね１５の弾性変形により吸収できる。これにより、前記衝撃が清掃体モータ３７等に直接波及することを緩和できるため、清掃体モータ３７に耐震性能が低く低コストのものを使用することも可能であり、吸込み口体１１を製造する上で、清掃体モータ３７の選択肢を広げることができる。
【００４７】
図９〜図１２を参照して本発明の第２の実施の形態を説明する。第２実施形態で以下説明する事項以外は、第１実施形態と同じであるので、第１実施形態と同じ構成及び構成は異なるが機能が同じ構成については第１実施形態と同一符号を付してその説明を省略する。
【００４８】
第２実施形態では、図１０に示すようにユニットベース３１が、その前後方向の幅に変化がない形状に作られている。このユニットベース３１の後面部３１ｄに設けられた通気部３４は、図９〜図１１に示すように後面部３１ｄの下縁に開放する切り欠きで形成されている。この通気部３４は、後面部３１ｄとこれに対向した吸込みヘッド本体１３の後壁部１３ｃとの間の空隙部を介して連通されている。
【００４９】
第２実施形態では、図１２に示すように清掃ユニット１４の清掃体モータ３７が回転清掃体３５の回転軸３５ａに内蔵されている。そのために、回転軸３５ａはその一端部を除いて円筒形に作られている。この回転軸３５ａの他端部に、モータ外郭が円柱状に形成された清掃体モータ３７が挿入して固定されている。清掃体モータ３７の出力軸３７ａは、回転軸３５ａの他端から突出されている。この出力軸３７はユニットベース３１の一端部ａの軸支持部３２に回り止め部材３６ａを介して固定されている。
【００５０】
回転清掃体３５は、清掃体モータ３７の出力軸３７ａをユニットベース３１の一端部３１ａ内面の軸支持部３２に回り止め部材３６ａを介して固定するとともに、回転軸３５ａの端部に固定された軸受３６をユニットベース３１の他端部３１ｂ内面の軸支持部３２に嵌合することにより、ユニットベース３１に回転自在に軸支されている。したがって、清掃体モータ３７が駆動されると、このモータの外郭とともに回転清掃体３５が回転されるようになっている。なお、清掃体モータ３７への通電は、例えば回転軸３５ａ又は出力軸３７ａの内の少なくとも一方を軸方向に貫通する絶縁被覆電線(図示しない)により行われる。
【００５１】
更に、第２実施形態では、吸込みヘッド本体１３が、ユニットベース３１の前面部３１ｇをその前側から覆う前壁部１３ｄを有している。これにより、吸込みヘッド本体１３は、その下面のみが開放された箱形に作られていて、この吸込みヘッド本体１３の内部はユニット収容室１３ｅとなっている。ユニット収容室１３ｅに収容された清掃ユニット１４は、吸込みヘッド本体１３の上壁部１３ｂに一対のコイルばね１５で浮動可能な状態に吊持されている。吸込みヘッド本体１３が前壁部１３ｄを有したことにより、この前壁部１３ｄとユニットベース３１の前面部３１ｇとの二重壁で、清掃ユニット１４から前方へ通過しようとする騒音をより減衰できるに伴い、より低騒音で吸込み口体１１を使用できる。これとともに、清掃ユニット１４が掃除中家具等に直接当たることを前壁部１３ｄによって防止して、清掃ユニット１４を保護できる。
【００５２】
更に、第１実施形態で採用した風路部材に代えて、第２実施形態では、図１１及び図１２に示すように隔離手段として両端が開放されて例えば円筒状をなすゴム製の防塵筒４５が採用されている。この防塵筒４５は、吸込みヘッド本体１３の上壁部１３ｂとユニットベース３１の上面部３１ｃとの間にこれらに両端部を固定して配置されたコイルばね１５及びその両端部が固定されたばね固定部２３，３３を包囲して、吸込みヘッド本体１３の上壁部１３ｂとユニットベース３１の上面部３１ｃとの間に介在されている。防塵筒４５の上下両端部はその内側に挿入されたばね固定部２３，３３により、コイルばね１５を覆った位置から外れないように防塵筒４５が位置決めされている。
【００５３】
こうした防塵筒４５を用いてコイルばね１５を個々に包囲したことにより、吸込みヘッド本体１３とユニットベース３１との間に含塵空気が通過するにも拘らず、この空気中の塵がコイルばね１５に付着することを防塵筒４５で防止できる。又、清掃ユニット１４が振動する際、それに追従して防塵筒４５は弾性変形できる。
【００５４】
以上説明した事項以外は図９〜図１２に示されない構成を含めて第１実施形態と同じである。したがって、第１実施形態で説明した理由によって、第２実施形態は本発明の課題を解決できる。
【００５５】
更に、第２実施形態では、清掃体収容室３１ｆを通り抜けた含塵空気とユニット収容室１３ｅを通り抜けた含塵空気（つまり、清掃ユニット１４の周りを通り抜けた含塵空気）が接続管１６に吸込まれるので、被掃除面に対する清掃ユニット１４の下面の吸付きが弱くなり、被掃除面に沿う吸込み口体１１の移動をより容易にできる。
【００５６】
又、第２実施形態では、清掃体モータ３７を回転清掃体２５に内蔵したので、これらを前後に並べて配設する必要がない。そのため、ユニットベース３１の前後方向に寸法が短くなり、これに応じて清掃ユニット１４を小形にできるに従い吸込み口体１１の前後方向の寸法を短くして小形にする上で好ましい。
【００５７】
図１３及び図１４を参照して本発明の第３の実施の形態を説明する。第３実施形態で以下説明する事項以外は、第２実施形態と同じであるので、第２実施形態と同じ構成及び構成は異なるが機能が同じ構成については第２実施形態と同一符号を付してその説明を省略する。
【００５８】
第３実施形態では、図１３及び図１４に示すように隔離手段として第２実施形態の防塵筒に代えて可撓性の仕切り部材５１が用いられている。仕切り部材５１はゴムシート等からなる。この仕切り部材５１は、ユニットベース３１の四周にわたって連続しているとともに、ユニットベース３１と吸込みヘッド本体１３とにわたって取付けられていて、ユニット収容室１３ｅを第１の室部１３ｅ１と第２の室部１３ｅ２とに仕切っている。第１の室部１３ｅ１はユニットベース３１の通気部３４及び接続管１６に連通されている。第２の室部１３ｅ２は接続管１６及び第１の室部１３ｅ１とは非連通である。この第２の室部１３ｅ２に例えばコイルばね１５がユニット支持部材として配設されている。なお、以上のような仕切り状態とするために、仕切り部材５１の後部５１ａは図１３に示すように斜めに設けられている。又、コイルばね１５を位置決めするばね固定部２３，３３は夫々コイルばね１５の端部内に嵌合された凸部からなる。
【００５９】
このような仕切り部材５１の採用により、コイルばね１５が配設された第２の室部１３ｅ２に含塵空気が通過することがないので、第１の室部１３ｅ１を流通する含塵空気中の塵がコイルばね１５に付着することを防止できる。又、清掃ユニット１４が振動する際、それに追従して仕切り部材５１は可撓変形するので、この仕切り部材５１を経由して清掃ユニット１４の振動が吸込みヘッド本体１３に波及することを抑制できる。
【００６０】
以上説明した事項以外は図１３及び図１４に示されない構成を含めて第２実施形態と同じである。したがって、第２実施形態で説明した理由によって、第３実施形態は本発明の課題を解決できる。
【００６１】
図１５及び図１６を参照して本発明の第４の実施の形態を説明する。第４実施形態で以下説明する事項以外は、第２実施形態と同じであるので、第２実施形態と同じ構成及び構成は異なるが機能が同じ構成については第２実施形態と同一符号を付してその説明を省略する。
【００６２】
第４実施形態では、清掃ユニット１４を浮動可能な状態に支持するために、この清掃ユニット１４を上下方向及び前後方向に支持する第１〜第３のユニット支持部材例えばコイルばね１５、５５、５６が用いられている。すなわち、図１５及び図１６に示すように第１のユニット支持部材であるコイルばね１５は、第２実施形態で既に説明した通り、吸込みヘッド本体１３の上壁部１３ｂとユニットベース３１の上面部３１ｃとの間にこれらに両端部を固定して配置されていて、清掃ユニット１４を上下方向に弾性的に支持している。このコイルばね１５は防塵筒４５により包囲されている。
【００６３】
第２のユニット支持部材であるコイルばね５５は、吸込みヘッド本体１３の前壁部１３ｄとユニットベース３１の前面部３１ｇとの間にこれらに両端部を固定して配置されていて、清掃ユニット１４を前側から弾性的に支持している。コイルばね５５も、その周囲に配置された前側防塵筒５７で包囲されている。前側防塵筒５７は、可撓性を有しているとともに、コイルばね５５に接しないように位置決めされている。なお、この位置決めの構成は、コイルばね１５に対する位置決めと同じであるが、説明の都合上、図１６では図示しない。
【００６４】
第３のユニット支持部材であるコイルばね５６は、吸込みヘッド本体１３の後壁部１３ｃとユニットベース３１の後面部３１ｄとの間にこれらに両端部を固定して配置されていて、清掃ユニット１４を前側から弾性的に支持している。コイルばね５６は、ユニットベース３１の通気部３４を避けて配設されている。このコイルばね５６も、その周囲に配置された後側防塵筒５８で包囲されている。後側防塵筒５８は、可撓性を有しているとともに、コイルばね５６に接しないように位置決めされている。なお、この位置決めの構成も、コイルばね１５に対する位置決めと同じであるが、説明の都合上、図１６では図示しない。
【００６５】
以上のように第４実施形態では、清掃ユニット１４を、その上方から複数のコイルばね１５で弾性的に吊持するとともに、複数のコイルばね５５及び複数のコイルばね５６で前後方向から弾性的に支持することによって、この清掃ユニット１４が吸込みヘッド本体１３内に浮動可能な状態に支持されている。
【００６６】
このため、吸込み口体１１を被掃除面に載置することに伴う清掃ユニット１４に対する衝撃と、それに伴う清掃ユニット１４の動揺を、主としてコイルばね１５で緩和できるとともに、この場合の衝撃緩和を前後のコイルばね５５，５６によって補助できる。更に、掃除中に吸込み口体１１が家具等に当たることに伴う清掃ユニット１４の前後方向に沿う衝撃と、それに伴う清掃ユニット１４の動揺を、前後のコイルばね５５，５６によって主として緩和できる。このように吸込み口体１１を取扱う上での衝撃緩和性能が高いので、清掃ユニット１４、取分け、それが備えた清掃体モータ３７に対する保護性能をより向上できる。
【００６７】
以上説明した事項以外は図１５及び図１６に示されない構成を含めて第２実施形態と同じである。したがって、第２実施形態で説明した理由によって、第４実施形態は本発明の課題を解決できる。
【００６８】
図１７を参照して本発明の第５の実施の形態を説明する。第５実施形態で以下説明する事項以外は、第２実施形態と同じであるので、第２実施形態と同じ構成及び構成は異なるが機能が同じ構成については第２実施形態と同一符号を付してその説明を省略する。
【００６９】
第５実施形態では、清掃ユニット１４を浮動可能な状態に支持したコイルばね１５を防塵する隔離手段として、吸込みヘッド本体１３及びユニットベース３１の一部を夫々利用している。
【００７０】
即ち、吸込みヘッド本体１３の上壁部１３ｂに下向きの筒状防塵凸部６１が一体に突設されているとともに、ユニットベース３１の上面部３１ｃに上向きの筒状防塵凸部６２が一体に突設されている。これら筒状防塵凸部６１，６２は夫々径が異なるが、いずれもコイルばね１５の直径よりは大きい。そして、筒状防塵凸部６１，６２は互いの間に隙間Ｓを設けて嵌合されている。図１７では、筒状防塵凸部６１の先端部内側に筒状防塵凸部６２の先端部が嵌合されているが、この関係は逆であってもよい。隙間Ｓは、清掃ユニット１４ｂの振動を筒状防塵凸部６１，６２が妨げることがないような大きさに設定されている。
【００７１】
このように嵌合された筒状防塵凸部６１，６２でコイルばね１５を包囲されているので、吸込みヘッド本体１３とユニットベース３１との間に含塵空気が通過するにも拘らず、この空気中の塵がコイルばね１５に付着することを防塵筒４５で防止できる。
【００７２】
更に、第５実施形態では、清掃ユニット１４が一対の軸受防塵用の仕切り６５を備えている。仕切り６５は、ユニットベース３１の一端部３１ａと他端部３１ｂの内面に夫々取付けられていて、回転清掃体３５が支持された軸支部６６と、この軸支部６６側の清掃部材３５ｂの端３５ｅとの間を仕切っている。言い換えれば、ユニットベース３１の一端部３１ａと一方の仕切り６５とで囲まれた略密閉状態の一方の軸支え室に、一方の軸支部６６が配設されている。この一方の軸支部６６は軸支持部３２及びこれに支持された軸受３６とからなる。これとともに、ユニットベース３１の他端部３１ｂと他方の仕切り６５とで囲まれた略密閉状態の他方の軸支え室に、他方の軸支部６６が配設されている。この他方の軸支部６６は軸支持部３２及びこれに固定され回り止め部材３６ａとからなる。そして、回転清掃体３５の回転軸３５ａの端部及び清掃体モータ３７の出力軸３７ａは、夫々仕切り６５に設けられた通孔に貫通されている。
【００７３】
このような仕切り６５を設けたことにより、ユニット収容室１３ｅを流通する含塵空気中の塵が、軸支部６６に付着することを仕切り６５で抑制できるので、軸支部６６による回転軸３５ａ又は出力軸３７ａの支持性能を長期間にわたって維持できる。
【００７４】
以上説明した事項以外は図１７に示されない構成を含めて第２実施形態と同じである。したがって、第２実施形態で説明した理由によって、第５実施形態は本発明の課題を解決できる。
【符号の説明】
【００７５】
１…電気掃除機、２ａ…吸塵口、２…掃除機本体、５…吸塵風路体、６…吸塵ホース、６ｂ…吸塵ホースの先端部、７…延長管、１１…吸込み口体、１２…吸込みヘッド、１３…吸込みヘッド本体、１３ｂ…吸込みヘッド本体の上壁部、１３ｃ…吸込みヘッド本体の後壁部、１３ｄ…吸込みヘッド本体の前壁部、１３ｅ…ユニット収容室、１３ｅ１…ユニット収容室の第１の室部、１３ｅ２…ユニット収容室の第２の室部、１４…清掃ユニット、１５…コイルばね（ユニット支持部材）、１６…接続管部、２０…風路部材(隔離手段)、２０ａ…風路部材の筒状部、３１…ユニットベース、３１ｇ…清掃体収容室、３５…回転清掃体、３５ａ…回転軸、３５ｂ…清掃部材、３５ｅ…清掃部材の端、３７…清掃体モータ、４０…吸込み開口、４５…防塵筒（隔離手段）、５１…仕切り部材(隔離手段)、５５…コイルばね（ユニット支持部材）、５６…コイルばね（ユニット支持部材）、５７…前側防塵筒(隔離手段)、５８…後側防塵筒(隔離手段)、６１,６２…筒状防塵凸部（隔離手段）、６５…仕切り、６６…軸支部
【図１】
2010253206.tif 000003
【図２】
2010253206.tif 000004
【図３】
2010253206.tif 000005
【図４】
2010253206.tif 000006
【図５】
2010253206.tif 000007
【図６】
2010253206.tif 000008
【図７】
2010253206.tif 000009
【図８】
2010253206.tif 000010
【図９】
2010253206.tif 000011
【図１０】
2010253206.tif 000012
【図１１】
2010253206.tif 000013
【図１２】
2010253206.tif 000014
【図１３】
2010253206.tif 000015
【図１４】
2010253206.tif 000016
【図１５】
2010253206.tif 000017
【図１６】
2010253206.tif 000018
【図１７】
2010253206.tif 000019